(57)【要約】【課題】スルー画表示を行う場合に、撮影者にとってフレーミングの邪魔にならないように、表示装置上でＡＦ測距枠を非表示状態とするスルー画表示可能なデジタル一眼レフカメラを提供する。【解決手段】撮像面とほぼ等価な位置に配置されたフォーカシングスクリーン２０５と、このフォーカシングスクリーン２０５を観察するためのファインダ接眼部３３と、フォーカシングスクリーン２０５上の被写体像を撮像するファインダ内ＣＣＤ２７９と、この撮像に基づいてスルー画表示する液晶モニタ２６を備え、スルー画表示の動作時（図７（Ｂ））には、ＡＦターゲット３０３ａ〜３０３ｄを非表示とし、スルー画表示の非動作時（図７（Ａ））にはＡＦターゲット３０３ａ〜３０３ｄを表示する。【選択図】  図７
2007282063.tif 000002
【特許請求の範囲】
【請求項１】
撮像面とほぼ等価な位置に配置されたフォーカシングスクリーンと、
このフォーカシングスクリーンを観察するための光学系を有するファインダと、
上記フォーカシングスクリーン上の被写体像を撮像し、画像表示装置に被写体の動画像を表示するスルー画表示手段と、
を具備し、
上記フォーカシングスクリーンは、上記スルー画表示手段の動作に応じて表示形態が切り換わる表示素子を含むことを特徴とするデジタル一眼レフカメラ。
【請求項２】
上記フォーカシングスクリーンは、上記スルー画表示手段の非動作時はＡＦ測距枠を表示することを特徴とする請求項１に記載のデジタル一眼レフカメラ。
【請求項３】
上記フォーカシングスクリーンは、上記スルー画表示手段の動作時は上記ＡＦ測距枠を非表示状態にすることを特徴とする請求項１に記載のデジタ一眼レフルカメラ。
【請求項４】
上記フォーカシングスクリーンは、上記スルー画表示手段の動作時はフレーミングに適した表示を行うことを特徴とする請求項１に記載のデジタル一眼レフカメラ。
【請求項５】
上記表示素子は液晶表示素子であることを特徴とする請求項１に記載のデジタル一眼レフカメラ。
【請求項６】
さらに測距装置を有しており、上記表示素子は上記測距装置による測距枠を表示すると共に、上記測距装置によって合焦したことを検出した場合には合焦表示することを特徴とする請求項１に記載のデジタル一眼レフカメラ。
【請求項７】
上記スルー画表示手段によるスルー画表示から、上記スルー画表示手段を非動作状態とする際には、上記スルー画表示をフリーズすることを特徴とする請求項１に記載のデジタル一眼レフカメラ。
【請求項８】
被写体像が結像され光電変換信号を出力する撮像素子と、
この撮像素子の出力に基づいて被写体像のスルー画表示を行うと共に、撮影に関するカメラ情報または情報設定のための情報画面の表示を行う表示装置と、
この表示装置において上記スルー画表示から上記情報画面に切り換える表示切換手段と、
この表示切換手段によって上記スルー画表示に切り換えられた際には、測距枠を非表示状態とする表示制御手段と、
を具備したことを特徴とするデジタルカメラ。
【発明の詳細な説明】
【技術分野】
【０００１】
本発明は、スルー画表示機能を有するデジタル一眼レフカメラに関し、詳しくは、撮像素子で繰り返し取得した画像を表示装置に動画像として表示する所謂スルー画表示機能（ライブビュー表示機能、電子ファインダ機能とも言う）を有するデジタル一眼レフカメラに関する。
【背景技術】
【０００２】
従来のカメラにおいては、被写体像の観察は、光学式ファインダにより行っていたが、最近のコンパクトデジタルカメラは、ファインダ光学系を廃止し、代わりに撮像素子で取得した画像を連続的に液晶モニタ等の表示装置に表示するいわゆるスルー画表示機能を有したものが多くなってきている。このようなスルー画表示機能はノーファインダ撮影に有効であり、デジタル一眼レフカメラに搭載された例が種々提案されている。
【０００３】
例えば、特許文献１には、一眼レフカメラのファインダ光学系の光路中にハーフミラーを配置し、観察用光束の一部を撮像素子に導き、この撮像素子でフォーカシングスクリーン上の被写体像を撮像し表示装置に動画として表示するようにしたスルー画機能付きの一眼レフカメラが開示されている。
【特許文献１】特開２０００−１７５１００号公報
【０００４】
ところで、現在の一眼レフカメラの殆どにオートフォーカス（ＡＦ）機能が搭載されている。ＡＦ機能は被写体の一部について自動焦点調節するため、被写体のどこを測距しているのかを撮影者に認知させる目的で、フォーカシングスクリーン上にＡＦ測距枠（ＡＦターゲット）が刻印されている。
【発明の開示】
【発明が解決しようとする課題】
【０００５】
上述したようなスルー画表示を行う場合には、撮影者はフレーミングを優先しているため、画面上にこのようなＡＦ測距枠が表示されていると非常に煩わしく邪魔になる。
【０００６】
本発明は、このような事情を鑑みてなされたものであり、撮影者にとってフレーミングの邪魔にならないファインダ表示機構を有するスルー画表示可能なデジタル一眼レフカメラを提供することを目的とする。
【課題を解決するための手段】
【０００７】
上記目的を達成するため第１の発明に係わるデジタル一眼レフカメラは、撮像面とほぼ等価な位置に配置されたフォーカシングスクリーンと、このフォーカシングスクリーンを観察するための光学系を有するファインダと、上記フォーカシングスクリーン上の被写体像を撮像し、画像表示装置に被写体の動画像を表示するスルー画表示手段を具備し、上記フォーカシングスクリーンは、上記スルー画表示手段の動作に応じて表示形態が切り換わる表示素子を含んでいる。
【０００８】
また、第２の発明に係わるデジタル一眼レフカメラは、上記第1の発明において、上記フォーカシングスクリーンは、上記スルー画表示手段の非動作時はＡＦ測距枠を表示する。
さらに、第３の発明に係わるデジタル一眼レフカメラは、上記第１の発明において、上記フォーカシングスクリーンは、上記スルー画表示手段の動作時は上記ＡＦ測距枠を非表示状態にする。
さらに、第４の発明に係わるデジタル一眼レフカメラは、上記第1の発明において、上記フォーカシングスクリーンは、上記スルー画表示手段の動作時はフレーミングに適した表示を行う。
【０００９】
さらに、第５の発明に係わるデジタル一眼レフカメラは、上記第1の発明において、上記表示素子は液晶表示素子である。
さらに、第６の発明に係わるデジタル一眼レフカメラは、上記第1の発明において、さらに測距装置を有しており、上記表示素子は上記測距装置による測距枠を表示すると共に、上記測距装置によって合焦したことを検出した場合には合焦表示する。
さらに、第７の発明に係わるデジタル一眼レフカメラは、上記第1の発明において、上記スルー画表示手段によるスルー画表示から、上記スルー画表示手段を非動作状態とする際には、上記スルー画表示をフリーズする。
【００１０】
上記目的を達成するため第８の発明に係わるデジタルカメラは、被写体像が結像され光電変換信号を出力する撮像素子と、この撮像素子の出力に基づいて被写体像のスルー画表示を行うと共に、撮影に関するカメラ情報または情報設定のための情報画面の表示を行う表示装置と、この表示装置において上記スルー画表示から上記情報画面に切り換える表示切換手段と、この表示切換手段によって上記スルー画表示に切り換えられた際には、測距枠を非表示状態とする表示制御手段を具備する。
【発明の効果】
【００１１】
本発明のデジタル一眼レフカメラにおいて、フォーカシングスクリーンは、スルー画表示手段の動作に応じて表示形態が切り換わる表示素子を含むようにしたので、撮影者にとってフレーミングの邪魔にならないファインダ表示機構を有するスルー画表示可能なデジタル一眼レフカメラを提供することができる。すなわち、スルー画の表示にあたってフレーミングの邪魔にならないように、フォーカシングスクリーンの表示形態を切り換えることができ、大変便利である。また、本発明のデジタルカメラは、表示切換手段によってスルー画表示に切り換えられた際には、測距枠を非表示状態とする表示制御手段を具備したので、フレーミングの邪魔になる測距枠をスルー画表示に切り換えた際に非表示としたので、フレーミングに専念でき大変便利である。
【発明を実施するための最良の形態】
【００１２】
以下、図面を参照してこの発明を実施するための一実施形態を説明する。
図１は、この発明が適用されたデジタル一眼レフカメラの外観斜視図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１４】
モードダイヤル２２は回転可能に構成された操作部材であり、モードダイヤル上の図示しない撮影モードを表す絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１５】
カメラ本体２０の背面には、液晶モニタ２６、再生釦２７、メニュー釦２８、十字キー３０、ＯＫ釦３１、ファインダ３３、表示切換釦３５、プレビュー釦３６が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、Ｘ方向とＹ方向の２次元方向にカーソルの移動を指示するための操作部材である。ＯＫ釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、ＯＫ釦３１の操作により選択を決定する。
【００１６】
表示切換釦３５は、撮像素子の出力に基づいて液晶モニタ２６に被写体像を表示するスルー画表示に切換えるための操作部材である。プレビュー釦３６は、被写体像の観察時に焦点深度を確認するために、撮影レンズの絞りを開放状態から絞り込むための指令を出すための操作釦である。これらの再生釦２７、メニュー釦２４、表示切換釦３５、プレビュー釦３６はいずれもオン・オフスイッチと連動しており、操作釦の操作に応じて発生する信号が後述するＡＳＩＣ(Application Specific Integrated Circuit  特定用途向け集積回路)２６３に送信される。液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。図示されないが、カメラ本体２０に対して角度を自在に変更できるよう構成されている。接眼部３３は、ファインダ光学系の接眼部であって、撮影者はこの接眼部３３を覗いて被写体像の確認を行うことができる。
【００１７】
図２は、本発明の実施形態に係わるデジタル一眼レフレックスカメラの光学的な概略構成を示すブロック図である。
レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射するために撮影レンズ１０１の光軸に対して４５度傾いた位置と、被写体像を撮像素子(後述のメインＣＣＤ（Charge Coupled Device）２２１)に導くために、撮影光路から退避した位置とに回動可能となっている。第1反射ミラー２０１の回動軸２０１ａはカメラ本体２０の高さ方向に沿っており、符号Ｒ回りに回動可能となっている。この第１反射ミラー２０１によって、カメラ本体２０の前面からみて右方に被写体光束を全反射する。なお、本実施形態では、右方に全反射しているが、これに限らず、カメラ本体の上方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１８】
第1反射ミラー２０１の反射光軸上にスクリーンマット２０５が配置され、この後方にハーフミラーで構成された第２反射ミラー２７１が配置されている。スクリーンマット２０５は撮影レンズ１０１による被写体光束を結像させるためのマット面であり、第１反射ミラー２０１からの距離がメインＣＣＤ２２１（図３参照）と等価な位置に配設されている。このフォーカシングスクリーンマット２０５は、一般の一眼レフカメラに用いられているスクリーンマット２０５ａと、ＡＦターゲット枠が表示可能な液晶２０５ｂとから構成されている。このファインダ内液晶２０５ｂは電源がオフのときは、図７（Ａ）に示すようにＡＦターゲットは表示状態となり、一方、電源がオンとなると図7（Ｂ）に示すようにＡＦターゲットは非表示状態となる。
【００１９】
ここで、図７（Ａ）は光学式のファインダ３３における被写体像の表示状態を示す図であって、被写体像３０１に対して、ＡＦターゲット３０３ａ、３０３ｂ、３０３ｃ、３０３ｄ、３０３ｅは、多点測距における各測距ポイントを示す。また、図７（Ｂ）は、スルー画表示における液晶モニタ２６における被写体像の表示状態を示す。なお、本実施形態では、スクリーンマット２０５ａとファインダ内液晶２０５ｂを別体の部品で構成しているが、これに限らず、両者を兼ね備えた液晶スクリーンで構成しても勿論構わない。さらに、本実施形態では、スクリーン２０５にファインダ内液晶２０５ｂを配置して測距枠の表示を行うようにしたが、液晶に限らず、電気的に表示・非表示の切り換えのできる素子であれば勿論構わない。
【００２０】
第２反射ミラー２７１はカメラ本体２０の上方に被写体光束の一部を反射させ、残りの被写体光束は第２反射ミラー２７１を透過し、後方に配置された測光用センサ２８１に入射する。測光用センサ２８１は被写体輝度を測定するための７×７の分割測光センサであり、ＡＳＩＣ２６３内の入出力回路２３９に接続されている。第２反射ミラー２７１の反射光軸上に第３反射ミラー２７３が配置されており、この第３反射ミラー２７３によって、カメラ本体２０の上部左方に被写体光束が全反射される。この第３反射ミラー２７３の反射光軸上にハーフミラーで構成される第４反射ミラー２７５が配置されている。この第４反射ミラー２７５の透過光軸上には、結像レンズ２７７と二次元撮像素子としてファインダ内ＣＣＤ２７９が配置されている。ファインダ内ＣＣＤ２７９は、スクリーンマット２０５上に形成された被写体像を光電信号に変換しＣＣＤ駆動回路２８３（図３）に出力する。また、第４反射ミラー２７５はカメラ本体２０の後方に残りの被写体光束を反射し、この反射光軸上に接眼レンズ２０９が配置されている。第４反射ミラーで反射された被写体光束は、接眼レンズ２０９、ファインダ３３（図１）を通して撮影者Ｅによって被写体像として観察される。
【００２１】
図３は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００２２】
カメラ本体２０内には、前述した第１反射ミラー２０１が配置されており、第１反射ミラー２０１の右方（図３では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図３中では、Ｆ内ＣＣＤと略記）が配置されている。そして、第４反射ミラー２７５の反射光軸上には接眼レンズ２０９が配置されている。
【００２３】
上述の第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して垂直となる位置にある。この第１反射ミラー２０１はミラー駆動機構２１９によって駆動されている。また、サブミラー２０３の反射光路上に測距用センサを含む位相差方式の測距回路２１７が配置されており、この回路は、レンズ１０１ａ、１０１ｂによって結像される被写体像の焦点ズレ量を検出するための回路である。
【００２４】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。
【００２５】
ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。ファインダ内液晶駆動回路２８５（図３中では、Ｆ内液晶駆動回路と略記）はファインダ内液晶２０５ｂの駆動制御を行う回路である。ファインダ内液晶２０５ｂは前述したように、電源オフでＡＦターゲット３０３ａ〜３０３ｅが表示状態となり、電源オンでＡＦ３０３ａ〜３０３ｅが非表示状態となる。
【００２６】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access
Memory）制御回路２３６、入出力回路２３９、通信回路２４１、記録媒体制御回路２４３、ビデオ信号出力回路２４７、スイッチ検出回路２５３が接続されている。
【００２７】
このデータバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２８】
上述のシャッタ駆動機構２１５、測距回路２１７、ミラー駆動機構２１９、ＣＣＤ駆動回路２２３、測光センサ２８１、ＣＣＤ駆動回路２８３、ＣＣＤ切換回路２８５、ファインダ内液晶駆動回路２８７を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００２９】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、プレビュー釦３６、レンズ検出スイッチ〈不図示〉等を含む各種スイッチ２５５（図３では各種ＳＷと略記）は、スイッチ検出回路２５３を介してデータバス２６１に接続されている。
【００３０】
次に、図４を用いて、本実施形態におけるデジタル一眼レフカメラの表示・動作モードの階層構造を説明する。
主要な表示・動作モードは、情報表示Ｍ１００、スルー画表示Ｍ２００の２種類である。情報表示Ｍ１００は、カメラ本体２０が電源オンとなった状態で初期設定されている。この情報表示モードは、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００３１】
スルー画表示Ｍ２００は、スクリーンマット２０５に結像した被写体像をファインダ内ＣＣＤ２７９によって光電変換し、この光電変換信号に基づいて観察用の被写体像を液晶モニタ２６に表示するモードである。このモードでは、第１の反射ミラー２０１に備えられたサブミラー２０３を介して被写体光束が測距回路２１７に導かれるので、被写体像の観察と共に自動焦点検出動作も行うことができる。スルー画表示モードになると、液晶モニタ２６には、図７（Ｂ）に示すように、ＡＦターゲット３０１ａ〜３０１ｅは非表示状態となり、被写体３０１が表示される。
【００３２】
前述したように、カメラ本体２０を電源オンとしたときには、情報表示Ｍ１００が初期設定される。この情報表示Ｍ１００からスルー画表示Ｍ２００への切換は表示切換釦３５を操作することによって行われる。表示切換釦３５を操作した際に、スルー画表示Ｍ２００に切換わり、再度、表示切換釦３５を操作すると情報表示Ｍ１００に戻る。
【００３３】
次に、情報表示Ｍ１００の下部階層について説明する。情報表示Ｍ１００の状態で、プレビュー釦３６を押しオンとすると、ノーマルプレビューＭ１１０が実行され、プレビュー釦３６から手を離しオフとすると、情報表示Ｍ１００に戻る。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、メインＣＣＤ２２１の出力を読み出し、記録用画像データを記録媒体２４５に記録する撮影動作を実行する（Ｍ１２１）。撮影動作が終了し、レリーズ釦２１の半押しを解除（１Ｒオフ）すると、情報表示Ｍ１００に戻る。また、メニュー釦２８をオンにすると、カードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面において、モードダイヤル２２、コントロールダイヤル２４や十字キー３０を操作して好みのモード・値に設定できる（Ｍ１４０）。
【００３４】
次にスルー画表示Ｍ２００の下部階層に移って、まずプレビュー釦３６を押しオンとすると、スルー画プレビューを実行する（Ｍ２１０）。スルー画プレビューは、メインＣＣＤ２２１からの画像信号に基づいてプレビューを行う。プレビュー釦３６から手を離し、オフとすることにより、プレビューモードを解除し、スルー画表示Ｍ２００に戻る。
【００３５】
スルー画表示Ｍ２００において、レリーズ釦２１が半押しされ１Ｒがオンとなると、撮影準備動作Ｍ１２０と同様に撮影準備が行われ（Ｍ２２０）、さらにレリーズ釦２１が全押しされ２Ｒがオンとなると、撮影動作が行われる（Ｍ２２１）。また、メニュー釦２８をオンすると、メニュー画面が現わる（Ｍ２３０）。この状態で、十字キー３０を操作し、カーソルを移動させ項目を選択し、ＯＫ釦３１で所望の項目を決定し、メニュー表示Ｍ２３０に戻る（Ｍ２３１）。この表示状態でメニュー釦２８またはＯＫ釦３１のオンで、スルー画表示Ｍ２００に戻る。
【００３６】
次に、図４に示したスルー画表示Ｍ２００について、図５に示すフローチャートを用いて説明する。前述したように表示切換釦３５がオンとなるとファインダ内ＣＣＤ２７９からの出力に基づいて被写体像を表示するスルー画表示Ｍ２００の動作を行う。まず、ファインダ内液晶駆動回路２８７によって液晶２０５ｂに電源をオンとして、ＡＦターゲット３０１ａ〜３０１ｅを非表示状態にする（Ｓ１）。スルー画表示の際には、撮影者がフレーミングに専念できるようにするため、ＡＦターゲットを消し邪魔にならないようにしている。続いて、ファインダ内ＣＣＤ２７９の駆動条件を決めるために、ステップＳ２において、測光センサ２８１の出力に基づいて測光・露光量演算（即ち、被写体輝度値、シャッタスピードと感度を求める）を行う。次に、ファインダ内ＣＣＤ２７９を選択し（Ｓ３）、これに電源を供給する（Ｓ５）。続いて、ＣＣＤ駆動にあたっての電子シャッタスピードと感度の条件設定を行うために、ステップＳ１で求めた測光・露光量の演算結果を用いてスルー画条件設定１のサブルーチンを実行する（Ｓ７）。このサブルーチンの実行によって液晶モニタ２６に適切な明るさ（明度）の像を表示することができるが、このサブルーチンの詳細は図６を用いて後述する。スルー画条件設定１が終了すると、スルー画表示を開始する（Ｓ９）。なお、スルー画表示動作の制御は、この開始指示を受けて画像処理回路２２７にて行われる。
【００３７】
次に、ステップＳ２と同様に再び測光・露光量演算を行い（Ｓ１１）、演算された露光量の表示を行う（Ｓ１３）。続いて、液晶モニタ２６におけるスルー画表示の明度を適切に保つためにスルー画条件設定２のサブルーチンを実行する（Ｓ１５）。ステップＳ７でのスルー画条件設定１は液晶モニタ２６でのスルー画表示前であったので、測光センサ２８１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。この後、レリーズ釦２１が半押しされたかどうか、即ち、１Ｒがオンとなったかを判定する（Ｓ２１）。
【００３８】
判定の結果、１Ｒがオンの場合には、撮影動作時の露光制御に使用するための測光・露光量演算を行い（Ｓ２３）、測距・焦点調節のサブルーチンを実行する（Ｓ２５）。測距・焦点調節のサブルーチンは、測距回路２１７の出力に基づいて撮影レンズ１０１の焦点ズレ量を演算し、この焦点ズレ量に基づいてレンズ駆動量を演算し、レンズＣＰＵ１１１を介してレンズ駆動機構１０７を駆動し、ピント合わせを行う。続いて、レリーズ釦２１が全押しされたかどうか、即ち、２Ｒがオンとなったかを判定し、オフの場合には、レリーズ釦２１が半押しのままかどうかを判定し（Ｓ２９）、オンの場合には、ステップＳ２７とＳ２９を繰り返し実行する待機状態となる。この状態でレリーズ釦２１から撮影者の手が離れると、ステップＳ２９をＮで抜け、再びステップＳ１１に戻る。一方、レリーズ釦２１の全押しがなされると、ステップＳ３１に進み、スルー画表示を停止し、即ち、液晶モニタ２６でスルー画表示を行っていたことを止め、ファインダ内ＣＣＤ２７９の電源をオフし（Ｓ３３）、撮影動作に移る（Ｍ２２１）。撮影動作では、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻すという公知の動作を実行する。
【００３９】
ステップＳ２１に戻り、１Ｒがオフの場合には、ステップＳ４１において、プレビュー釦３６がオンかどうかを判定する。オンの場合には、スルー画表示を固定し、即ち、液晶モニタ２６に表示されているスルー画としての表示用被写体画像の更新を行うことなく、そのまま保持する（Ｓ４３）。これは、プレビュー動作では絞り１０３が絞り込まれ、被写体輝度が低下する際に、スルー画条件の設定が十分追従できず、画像の明るさが不自然に変化する。この不自然な変化を防止するために、画像が安定するまで、スルー画の更新を停止するものである。この後、プレビューＡ（Ｍ２１０）に移り、絞り１０３を設定値に絞り込んだ状態でメインＣＣＤ２２１の出力に基づいて液晶モニタ２６に被写体像をスルー画表示する。このプレビューＡが終了すると、ステップＳ１に戻り、前述のステップを繰り返す。
【００４０】
ステップＳ４１に戻り、プレビュー釦３６がオフであった場合には、ステップＳ４５に進み、表示切換釦３５が押されたかどうか、即ち、オンかどうかを判定する。オンであった場合には、スルー画表示Ｍ２００を終了して情報表示Ｍ１００に移るが、その前にステップＳ４６にて、ＡＦターゲット３０１ａ〜３０１ｅを表示状態にする。情報表示Ｍ１００における被写体像の観察は光学ファインダによって行われ、このときはＡＦターゲット３０１ａ〜３０１ｅを表示状態とするようにしているからである。ステップＳ４５に戻り、判定の結果、表示切換釦３５が押されていなかった場合、即ち、オフであった場合には、ステップＳ４７に進み、メニュー釦２８が押されたかどうか、即ち、オンかどうかを判定し、オンの場合には、図４で説明したメニュー表示Ｍ２３０に進む。メニュー釦２８がオフの場合には、いずれの釦も操作されていない状態であるので、ステップＳ１１に戻り、前述したフローを繰り返す。
【００４１】
次に、「スルー画条件の設定１」と「スルー画条件設定２」について図８を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。ステップＳ２０７にてＴＶ１およびＳＶ１の設定が終了すると元のフローに戻る。
【００４２】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００４３】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、元のフローに戻る。
【００４４】
以上説明したように、本実施形態においては、フォーカシングスクリーン２０５の一部にファインダ内液晶２０５ａを備え、このファインダ内液晶２０５ａがＡＦターゲット３０１ａ〜３０１ｅを表示可能としている。表示切換釦３５によってスルー画表示Ｍ２００に切り換えられると、ＡＦターゲット３０１ａ〜３０１ｅを非表示とするので、ＡＦターゲットが邪魔にならずフレーミングが行い易い。また、通常の情報表示Ｍ１００（ノーマルプレビューＭ１１０、撮影準備Ｍ１２０、メニュー表示Ｍ１３０を含む）において、ＡＦターゲットは表示状態としたので、ファインダ３３を覗くことにより容易に視認することができる。また、本実施形態においては、スルー画表示Ｍ２００において、スルー画プレビューＭ２１０への切換時における被写体像の乱れを防止するために、モニタにおける被写体像をフリーズしている。即ち、ステップＳ４３においてスルー画表示でフリーズしている。フリーズの解除は、スルー画プレビューの開始に伴って行う等、所定の動作に応じて行えば良く、また他の方法、例えば、画像が安定するまでの所定時間フリーズする等、種々の方法がある。
【００４５】
次に、本実施形態の変形例について図８を用いて説明する。本発明の一実施形態においては、スルー画表示Ｍ２００に切り換えると、ファインダ内液晶２０５ｂによるＡＦターゲット３０１ａ〜３０１ｅは表示されることはないが、この第１の変形例においては、測距回路２１７やレンズ駆動回路１０７によって合焦位置に撮影レンズが駆動されると、図８（Ａ）に示されるように、合焦した部分に対応するＡＦターゲット３０５が点滅するように構成する。ボディＣＰＵ２２９が合焦部分に対応するＡＦターゲットに対して、ファインダ内液晶駆動回路２８７を介して点滅表示するように指令を出すことにより達成することができる。
【００４６】
次に、第２の変形例について説明する。本発明の一実施形態においては、スルー画表示Ｍ２００の際には、ファインダ内液晶２０５ｂは表示を行っていなかったが、この変形例では、フレーミングに適した表示として、図８（Ｂ）に示すように、フレーミング用のライン３０７ａ〜３０７ｄを表示している。なお、図示するような縦横のラインの他、縦のみまたは横のみのラインを選択的に表示してもよく、また枠を表示する等、フレーミングの参考になる補助ラインであれば、図８（Ｂ）の例に限定されない。
【００４７】
本実施形態のデジタル一眼レフカメラは、撮像面とほぼ等価な位置に配置されたフォーカシングスクリーン２０５と、このフォーカシングスクリーン２０５を観察するための光学系を有するファインダ接眼部３３と、フォーカシングスクリーン２０５上の被写体像を撮像するファインダ内ＣＣＤ２７９と、この撮像に基づいてスルー画表示する液晶モニタ２６を備え、フォーカシングスクリーン２０５は、スルー画表示への切り換えに応じて表示形態が切り換わるファインダ内液晶２０５ｂを含むようにしたので、スルー画表示の際には、撮影者にとってフレーミングが邪魔とはならないファインダ表示となる。
【００４８】
また、本実施形態では、フォーカシングスクリーン２０５は、スルー画表示が非動作の時に、ＡＦターゲット（測距枠）３０１ａ〜３０１ｅを表示するようにしたので、光学ファインダによる被写体像の観察にあたって、ＡＦターゲットを確認することができ便利である。
さらに、本実施形態では、フォーカシングスクリーン２０５は、スルー画表示が動作する時に、ＡＦターゲット（測距枠）３０１ａ〜３０１ｅを非表示状態にするようにしたので、フレーミングにあたってＡＦターゲットが邪魔にならない。
さらに、本実施形態の変形例においては、フォーカシングスクリーン２０５は、スルー画表示の動作の時に、図８（Ｂ）に示すようなフレーミングに適した表示を行うようにしたので、フレーミングし易くなる。
【００４９】
さらに、本実施形態の変形例においては、ファインダ内液晶２０５ａはＡＦターゲット（測距枠）３０１ａ〜３０１ｅを表示すると共に、測距装置によって合焦したことを検出した場合には、図８（Ａ）に示すように、合焦表示するようにしたので、フレーミングに邪魔にならず、かつ合焦状態になったことを容易に視認でき、大変便利である。
また、本実施形態のデジタルカメラは、被写体像が結像され光電変換信号を出力する撮像素子としてのファインダ内ＣＣＤ２７９と、ファインダ内ＣＣＤ２７９の出力に基づいて被写体像のスルー画表示を行うと共に、撮影に関するカメラ情報または情報設定のための情報画面の表示を行う液晶モニタ２６と、この液晶モニタ２６においてスルー画表示から情報画面に切り換える表示切換釦３５を備え、この表示切換釦３５によってスルー画表示に切り換えられた際には、ＡＦターゲット（測距枠）を非表示状態とするようにしたので、スルー画表示の際にはＡＦターゲットが表示されず、すっきりした画面となり、フレーミングし易い。なお、情報画面とは、本実施形態における情報表示Ｍ１００やメニュー表示Ｍ１３０に限らず、被写体像を表示する以外の種々の画面をいう。
【００５０】
なお、本発明は、デジタル一眼レフカメラに限らず、被写体観察用の撮像素子とこの出力に基づいて被写体像を表示する表示装置を具備し、表示装置に被写体像を表示することが選択できる電子カメラであれば適用できることは勿論である。
【図面の簡単な説明】
【００５１】
【図１】本発明の一実施形態に係わるデジタル一眼レフカメラの外観斜視図である。
【図２】本発明の一実施形態に係わるデジタル一眼レフレックスカメラの光学的な概略構成を示すブロック図である。
【図３】本発明の一実施形態に係るデジタル一眼レフカメラの全体構成を示すブロック図である。
【図４】本発明の一実施形態におけるデジタル一眼レフカメラの表示モードおよびその動作モード・メニューの階層構造を示すブロック図である。
【図５】本発明の一実施形態におけるスルー画表示のフローチャートである。
【図６】本発明の一実施形態におけるスルー画条件の設定１とスルー画条件の設定２のフローチャートである。
【図７】本発明の一実施形態において、ファインダでの表示を示し、（Ａ）は非スルー画表示における光学ファインダでの被写体像の表示、（Ｂ）はスルー画表示における液晶モニタでの被写体像の表示を示す図である。
【図８】本発明の一実施形態の変形例を示し、（Ａ）は第１の変形例における液晶モニタでの被写体像の表示、（Ｂ）は第２の変形例における液晶モニタでの被写体像の表示を示す図である。
【符号の説明】
【００５２】
１０  レンズ鏡筒
２０  カメラ本体
２１  レリーズ釦
２２  モードダイヤル
２３  パワースイッチ
２４  コントロールスイッチ
２６  液晶モニタ
２７  再生釦
２８  メニュー釦
３０  十字キー
３１  ＯＫ釦
３３  ファインダ
３４  スルー画切換釦
３６  プレビュー釦
２０１  第1反射ミラー
２０５  スクリーンマット
２０５ｂ  ファインダ内液晶
２１３  フォーカルプレーンシャッタ
２２１  メインＣＣＤ
２２９  ボディＣＰＵ
２７９  ファインダ内ＣＣＤ
２２７  画像処理回路
２８５  ＣＣＤ切換回路
２８７  ファインダ内液晶駆動回路
３０１ａ〜３０１ｅ  ＡＦターゲッ
【図１】
2007282063.tif 000003
【図２】
2007282063.tif 000004
【図３】
2007282063.tif 000005
【図４】
2007282063.tif 000006
【図５】
2007282063.tif 000007
【図６】
2007282063.tif 000008
【図７】
2007282063.tif 000009
【図８】
2007282063.tif 000010